(57)【要約】【課題】コミュニティ内などにおいて自分の汎用バリューを専用バリューに変換して他人に譲渡することできる仕組みを提供する。【解決手段】取得部１１１は、汎用バリューを専用バリューに変換する比率を取得する。受付部１１２は、他人へ専用バリューを譲渡する旨の要求を受付け、また、所有する専用バリューを利用する旨の要求を受付ける。変換部１１３は、専用バリューを他人に譲渡する旨の要求を受付けたとき、要求する量の汎用バリューを他人の専用バリューに変換し、記憶制御部１１４は、汎用バリューＤＢ１２２に記憶された汎用バリューを減算し、変換された専用バリューを専用バリューＤＢ１２３に記憶させる。判定部１１５は、専用バリューを利用する旨の要求を受付けたとき記憶されている制限情報に応じてその許否を判定する。記憶制御部１１４は、要求を許可する場合に専用バリューＤＢ１２３からこの要求が示す量の専用バリューを減算する。【選択図】図７
2017111564.tif 000002
【特許請求の範囲】
【請求項１】
第１通信端末のユーザが所有する汎用バリューおよび第２通信端末のユーザが所有する、前記汎用バリューと単位の異なる専用バリューをそれぞれ記憶する記憶手段と、
前記第１通信端末のユーザから前記第２通信端末のユーザへ専用バリューを譲渡する旨の要求を受付けたとき、該要求が示す量の専用バリューに該量に相当する量の汎用バリューを変換する変換手段と、
前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、
前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、
を有し、
前記記憶制御手段は、前記判定手段が前記要求を許可する場合に、前記記憶手段に記憶された前記専用バリューから該要求が示す量の専用バリューを減算する
ことを特徴とする管理装置。
【請求項２】
第１通信端末のユーザが所有する汎用バリューおよび前記汎用バリューと単位の異なる専用バリュー、並びに第２通信端末のユーザが所有する専用バリューをそれぞれ記憶する記憶手段と、
前記第１通信端末のユーザから自身の所有する汎用バリューを専用バリューに変換する旨の要求を受付けたとき、該変換する旨の要求が示す量の専用バリューに該量に相当する量の汎用バリューを変換する変換手段と、
前記第１通信端末のユーザから前記第２通信端末のユーザへ専用バリューを譲渡する旨の要求を受付けたとき、前記変換手段により変換され前記記憶手段に記憶された専用バリューから、前記譲渡する旨の要求が示す量の専用バリューを減算するとともに、該要求が示す量の専用バリューと該専用バリューの制限に関する制限情報とを対応付けて、前記第２通信端末のユーザが所有する専用バリューとして該記憶手段に記憶させる記憶制御手段と、
前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、
を有し、
前記記憶制御手段は、前記判定手段が前記要求を許可する場合に、前記記憶手段に記憶された、前記第２通信端末のユーザが所有する専用バリューから該要求が示す量の専用バリューを減算する
ことを特徴とする管理装置。
【請求項３】
前記制限情報には、対応する前記専用バリューの譲渡の制限に関する情報が含まれる
ことを特徴とする請求項１または２に記載の管理装置。
【請求項４】
前記制限情報には、対応する前記専用バリューの利用範囲の制限に関する情報が含まれる
ことを特徴とする請求項１から３のいずれか１項に記載の管理装置。
【請求項５】
前記専用バリューが利用されるとき、該専用バリューの変換前の前記汎用バリューを所有していたユーザの前記第１通信端末に、該利用に関する情報を通知する通知手段
を有することを特徴とする請求項１から４のいずれか１項に記載の管理装置。
【請求項６】
前記判定手段は、前記通知手段による通知に対して前記第１通信端末から許可する旨の応答がされるまで、前記専用バリューの利用を許可しない
ことを特徴とする請求項５に記載の管理装置。
【請求項７】
前記記憶制御手段は、前記専用バリューが利用されるとき、該利用に関する情報を前記記憶手段に記憶させる
ことを特徴とする請求項１から６のいずれか１項に記載の管理装置。
【請求項８】
第１通信端末と、
第２通信端末と、
前記第１通信端末および前記第２通信端末と通信する管理装置と、を有し、
前記管理装置は、
前記第１通信端末のユーザが所有する汎用バリューおよび前記第２通信端末のユーザが所有する、前記汎用バリューと単位の異なる専用バリューをそれぞれ記憶する記憶手段と、
前記第１通信端末のユーザから前記第２通信端末のユーザへ専用バリューを譲渡する旨の要求を受付けたとき、該要求が示す量の専用バリューに該量に相当する量の汎用バリューを変換する変換手段と、
前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、
前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、
を有し、
前記記憶制御手段は、前記判定手段が前記要求を許可する場合に、前記記憶手段に記憶された前記専用バリューから該要求が示す量の専用バリューを減算する
ことを特徴とする管理システム。
【請求項９】
第１通信端末のユーザが所有する汎用バリューおよび第２通信端末のユーザが所有する、前記汎用バリューと単位の異なる専用バリューをそれぞれ記憶する記憶手段、を有するコンピュータを、
前記第１通信端末のユーザから前記第２通信端末のユーザへ専用バリューを譲渡する旨の要求を受付けたとき、該要求が示す量の専用バリューに該量に相当する量の汎用バリューを変換する変換手段と、
前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、
前記第２通信端末のユーザから、所有する前記専用バリューを利用する旨の要求を受付けたとき、前記記憶手段により該専用バリューに対応付けて記憶されている制限情報に応じて該要求の許否を判定する判定手段、
として機能させるとともに、
前記判定手段が前記要求を許可する場合に、前記記憶制御手段が、前記記憶手段に記憶された前記専用バリューから該要求が示す量の専用バリューを減算するように機能させるためのプログラム。
【請求項１０】
第１通信端末のユーザが所有する汎用バリューおよび前記汎用バリューと単位の異なる専用バリュー、並びに第２通信端末のユーザが所有する専用バリューをそれぞれ記憶する記憶手段と、を有するコンピュータを、
前記第１通信端末のユーザから自身の所有する汎用バリューを専用バリューに変換する旨の要求を受付けたとき、該変換する旨の要求が示す量の専用バリューに該量に相当する量の汎用バリューを変換する変換手段と、
前記第１通信端末のユーザから前記第２通信端末のユーザへ専用バリューを譲渡する旨の要求を受付けたとき、前記変換手段により変換され前記記憶手段に記憶された専用バリューから、前記譲渡する旨の要求が示す量の専用バリューを減算するとともに、該要求が示す量の専用バリューと該専用バリューの制限に関する制限情報とを対応付けて、前記第２通信端末のユーザが所有する専用バリューとして該記憶手段に記憶させる記憶制御手段と、
前記第２通信端末のユーザから、所有する前記専用バリューを利用する旨の要求を受付けたとき、前記記憶手段により該専用バリューに対応付けて記憶されている制限情報に応じて該要求の許否を判定する判定手段、
として機能させるとともに、
前記判定手段が前記要求を許可する場合に、前記記憶制御手段が、前記記憶手段に記憶された、前記第２通信端末のユーザが所有する専用バリューから該要求が示す量の専用バリューを減算するように機能させるためのプログラム。
【発明の詳細な説明】
【技術分野】
【０００１】
本発明は、通信端末のユーザが所有するバリューの管理に関するものである。
【背景技術】
【０００２】
在留・訪日外国人や家庭などのコミュニティ内において、通信料を含む各種料金を共有または譲渡する（以下、「シェアする」ともいう）ことが求められている。
【０００３】
特許文献１には、一般電子マネー残高から特定電子マネー残高に指定された金額を移転する移転処理部を備えた電子マネー装置が記載されている。
【先行技術文献】
【特許文献】
【０００４】
【特許文献１】特開平１１−３５３３９７号公報
【発明の概要】
【発明が解決しようとする課題】
【０００５】
しかし、特許文献１に記載の技術は、使用目的や使用回数、使用時間、店舗、値域、商品カテゴリなどが制限されない一般電子マネー残高から、これらが制限された特定電子マネー残高へ指定された金額を移転するものであり、単位換算したバリューを他人に譲渡するものではない。
【０００６】
本発明の目的は、コミュニティ内などにおいて自分の汎用バリューを、汎用バリューと単位の異なる専用バリューに変換して他人に譲渡することできる仕組みを提供することにある。
【課題を解決するための手段】
【０００７】
上述した課題を解決するため、本発明に係る管理装置は、第１通信端末のユーザが所有する汎用バリューおよび第２通信端末のユーザが所有する、前記汎用バリューと単位の異なる専用バリューをそれぞれ記憶する記憶手段と、前記第１通信端末のユーザから前記第２通信端末のユーザへ専用バリューを譲渡する旨の要求を受付けたとき、該要求が示す量の専用バリューに該量に相当する量の汎用バリューを変換する変換手段と、前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、を有し、前記記憶制御手段は、前記判定手段が前記要求を許可する場合に、前記記憶手段に記憶された前記専用バリューから該要求が示す量の専用バリューを減算することを特徴とする。
【０００８】
また、本発明に係る管理装置は、第１通信端末のユーザが所有する汎用バリューおよび前記汎用バリューと単位の異なる専用バリュー、並びに第２通信端末のユーザが所有する専用バリューをそれぞれ記憶する記憶手段と、前記第１通信端末のユーザから自身の所有する汎用バリューを専用バリューに変換する旨の要求を受付けたとき、該変換する旨の要求が示す量の専用バリューに該量に相当する量の汎用バリューを変換する変換手段と、前記第１通信端末のユーザから前記第２通信端末のユーザへ専用バリューを譲渡する旨の要求を受付けたとき、前記変換手段により変換され前記記憶手段に記憶された専用バリューから、前記譲渡する旨の要求が示す量の専用バリューを減算するとともに、該要求が示す量の専用バリューと該専用バリューの制限に関する制限情報とを対応付けて、前記第２通信端末のユーザが所有する専用バリューとして該記憶手段に記憶させる記憶制御手段と、前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、を有し、前記記憶制御手段は、前記判定手段が前記要求を許可する場合に、前記記憶手段に記憶された、前記第２通信端末のユーザが所有する専用バリューから該要求が示す量の専用バリューを減算することを特徴とする。
【０００９】
また、好ましくは、前記制限情報には、対応する前記専用バリューの譲渡の制限に関する情報が含まれるとよい。
【００１０】
また、好ましくは、前記制限情報には、対応する前記専用バリューの利用範囲の制限に関する情報が含まれるとよい。
【００１１】
また、好ましくは、前記専用バリューが利用されるとき、該専用バリューの変換前の前記汎用バリューを所有していたユーザの前記第１通信端末に、該利用に関する情報を通知する通知手段を有するとよい。
【００１２】
また、好ましくは、前記判定手段は、前記通知手段による通知に対して前記第１通信端末から許可する旨の応答がされるまで、前記専用バリューの利用を許可しないとよい。
【００１３】
また、好ましくは、前記記憶制御手段は、前記専用バリューが利用されるとき、該利用に関する情報を前記記憶手段に記憶させてもよい。
【００１４】
また、本発明に係る管理システムは、第１通信端末と、第２通信端末と、前記第１通信端末および前記第２通信端末と通信する管理装置と、を有し、前記管理装置は、前記第１通信端末のユーザが所有する汎用バリューおよび前記第２通信端末のユーザが所有する、前記汎用バリューと単位の異なる専用バリューをそれぞれ記憶する記憶手段と、前記第１通信端末のユーザから前記第２通信端末のユーザへ専用バリューを譲渡する旨の要求を受付けたとき、該要求が示す量の専用バリューに該量に相当する量の汎用バリューを変換する変換手段と、前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、前記第２通信端末のユーザから、所有する前記専用バリューを利用する旨の要求を受付けたとき、前記記憶手段により該専用バリューに対応付けて記憶されている制限情報に応じて該要求の許否を判定する判定手段と、を有し、前記記憶制御手段は、前記判定手段が前記要求を許可する場合に、前記記憶手段に記憶された前記専用バリューから該要求が示す量の専用バリューを減算することを特徴とする。
【００１５】
また、本発明に係るプログラムは、第１通信端末のユーザが所有する汎用バリューおよび第２通信端末のユーザが所有する、前記汎用バリューと単位の異なる専用バリューをそれぞれ記憶する記憶手段、を有するコンピュータを、前記第１通信端末のユーザから前記第２通信端末のユーザへ専用バリューを譲渡する旨の要求を受付けたとき、該要求が示す量の専用バリューに該量に相当する量の汎用バリューを変換する変換手段と、前記記憶手段に記憶された汎用バリューから、前記変換手段により変換された量の汎用バリューを減算するとともに、該変換手段により変換された量の専用バリューと該専用バリューの制限に関する制限情報とを対応付けて前記記憶手段に記憶させる記憶制御手段と、前記第２通信端末のユーザから、所有する前記専用バリューを利用する旨の要求を受付けたとき、前記記憶手段により該専用バリューに対応付けて記憶されている制限情報に応じて該要求の許否を判定する判定手段、として機能させるとともに、前記判定手段が前記要求を許可する場合に、前記記憶制御手段が、前記記憶手段に記憶された前記専用バリューから該要求が示す量の専用バリューを減算するように機能させるためのプログラムである。
【００１６】
また、本発明に係るプログラムは、第１通信端末のユーザが所有する汎用バリューおよび前記汎用バリューと単位の異なる専用バリュー、並びに第２通信端末のユーザが所有する専用バリューをそれぞれ記憶する記憶手段と、を有するコンピュータを、前記第１通信端末のユーザから自身の所有する汎用バリューを専用バリューに変換する旨の要求を受付けたとき、該変換する旨の要求が示す量の専用バリューに該量に相当する量の汎用バリューを変換する変換手段と、前記第１通信端末のユーザから前記第２通信端末のユーザへ専用バリューを譲渡する旨の要求を受付けたとき、前記変換手段により変換され前記記憶手段に記憶された専用バリューから、前記譲渡する旨の要求が示す量の専用バリューを減算するとともに、該要求が示す量の専用バリューと該専用バリューの制限に関する制限情報とを対応付けて、前記第２通信端末のユーザが所有する専用バリューとして該記憶手段に記憶させる記憶制御手段と、前記第２通信端末のユーザから、所有する前記専用バリューを利用する旨の要求を受付けたとき、前記記憶手段により該専用バリューに対応付けて記憶されている制限情報に応じて該要求の許否を判定する判定手段、として機能させるとともに、前記判定手段が前記要求を許可する場合に、前記記憶制御手段が、前記記憶手段に記憶された、前記第２通信端末のユーザが所有する専用バリューから該要求が示す量の専用バリューを減算するように機能させるためのプログラムである。
【発明の効果】
【００１７】
本発明によれば、コミュニティ内などにおいて自分の汎用バリューを、汎用バリューと単位の異なる専用バリューに変換して他人に譲渡することができる。
【図面の簡単な説明】
【００１８】
【図１】本発明の実施形態に係る管理システム９の全体構成を示す図。
【図２】通信端末２の構成を示す図。
【図３】管理装置１の構成を示す図。
【図４】比率表１２１の例を示す図。
【図５】汎用バリューＤＢ１２２の例を示す図。
【図６】専用バリューＤＢ１２３の例を示す図。
【図７】管理装置１の機能的構成を示す図。
【図８】管理システム９における通信端末２ａの操作画面の例を示す図。
【図９】他人に専用バリューを譲渡する操作をしたときの操作画面の遷移例を示す図。
【発明を実施するための形態】
【００１９】
１．実施形態
１−１．管理システムの全体構成
図１は、本発明の実施形態に係る管理システム９の全体構成を示す図である。管理システム９は、複数の通信端末２ａ，２ｂ，…（以下これらを区別しない場合は「通信端末２」という）、およびクラウド５を有する。クラウド５は、通信回線３と、この通信回線３に接続された１以上の管理装置１とを有する。通信回線３は、通信端末２と管理装置１とが閉域通信を行うための通信回線であり、例えば通信事業者の提供する専用電話回線である。通信回線３は、インターネットなどの公衆ネットワークである通信回線４と接続してもよい。また、通信回線３は、全銀協（全国銀行協会）ネットワークやＣＡＦＩＳ（Credit And Finance Information System）網などの各種の金融ネットワークや金融機関を含む決済システム６と接続してもよい。
【００２０】
通信端末２は、例えばスマートフォンや携帯音楽プレーヤー、またはスマートウォッチ、ヘッドマウントディスプレイといった各種ウェアラブル端末など、ユーザがそれぞれ携帯する機器であって、無線により通信回線３を介して、管理装置１と情報の遣り取りをする端末である。
【００２１】
管理装置１は、通信回線３により通信端末２と通信可能に接続しているコンピュータ装置であり、通信回線３を介して決済システム６などと遣り取りすることにより、通信端末２のユーザの銀行口座における決済を行い、クラウド５で管理される汎用バリューや専用バリューを管理する。
【００２２】
専用バリューとは、通信端末２のユーザが所有する価値であって、通信端末２を介して利用できるサービスの対価として消費される一種の仮想通貨である。専用バリューは、利用できるサービスの種類が限定されている。
【００２３】
例えば専用バリューが通話料である場合、この専用バリューは音声による通話にしか利用できず、その単位は分や秒など通話をする時間を示す単位である。また、例えば専用バリューが通信料である場合、この専用バリューはデータ通信にしか利用できず、その単位はパケット数やデータ量など通信データ量を示す単位である。専用バリューは、決済システム６などにおけるユーザの銀行口座の決済によって、そのユーザに購入されることがあるが、これを所有するユーザが任意に金銭や汎用バリュー、および他の専用バリューに変換することはできない。ただし、専用バリューには、売買の対象として取り扱われるものがあってもよい。
【００２４】
汎用バリューとは、通信端末２のユーザが所有する価値であって、通信端末２を介して利用できるサービスの対価として消費される一種の仮想通貨である。汎用バリューは、上述した専用バリューよりも利用できるサービスの種類が限定されていない。汎用バリューの単位は例えば、一般の通貨と同じ円などである。
【００２５】
１−２．通信端末の構成
図２は、通信端末２の構成を示す図である。制御部２１は、通信端末２の各部の動作を制御する。制御部２１は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。
【００２６】
記憶部２２はソリッドステートドライブなどの記憶手段であり、制御部２１に読み込まれるプログラムを記憶する。なお、記憶部２２は、メモリカードなど着脱可能な記録媒体を含んでもよい。
【００２７】
通信部２３は、通信回線３を介して管理装置１との間で情報を通信するインターフェイスであり、例えば無線通信回路などである。
【００２８】
表示部２４は、液晶などを使用したディスプレイ装置であり、制御部２１からの指示に応じて画像を表示する
【００２９】
。
操作部２５は指示を入力するためのボタンやタッチパネルなどを備えており、利用者による操作を受付けてその操作内容に応じた信号を制御部２１に供給する。
【００３０】
１−３．管理装置の構成
図３は、管理装置１の構成を示す図である。制御部１１は、管理装置１の各部の動作を制御する。制御部１１は、ＣＰＵなどの演算処理装置や、ＲＯＭ、ＲＡＭなどの記憶装置を備え、これら記憶装置や記憶部１２に記憶されたプログラムを実行する。
通信部１３は、通信回線３で用いられる通信プロトコルに準拠した通信インターフェイスである。
【００３１】
記憶部１２はハードディスクドライブなどの記憶手段であり、制御部１１に読み込まれるプログラムを記憶する。なお、記憶部１２は、いわゆるリムーバブルディスク、すなわち着脱可能な記録媒体を含んでもよい。
【００３２】
また、記憶部１２は、比率表１２１、汎用バリューＤＢ１２２、および専用バリューＤＢ１２３を記憶する。
【００３３】
図４は、比率表１２１の例を示す図である。比率表１２１は、汎用バリューを専用バリューに変換するときの比率が記述されたテーブルである。比率表１２１は、変換先の専用バリューの種類を示す「変換先バリュー」と、汎用バリューを「変換先バリュー」が示す専用バリューに変換するときの「比率」と、その比率が有効な期限を示す「有効期限」とが対応付けて記憶されている。
【００３４】
比率表１２１に記述される比率は、汎用バリューを変換先の専用バリューに変換するときに、単位数量当たりのその専用バリューに変換するために必要な汎用バリューの数量を示した数値である。つまり、この比率が低いほど、少ない数量の汎用バリューで単位数量の専用バリューを得ることができる。例えば、変換先バリューが通話料の比率が２００（円／分）である場合、１分の通話料を得るためには２００円の汎用バリューを変換しなければならないが、この比率が１００（円／分）であれば、１分の通話料を得るために１００円の汎用バリューだけで済む。
【００３５】
比率表１２１に含まれる有効期限は、例えば、管理装置１がいわゆるプル型の遣り取りをすることによって比率を取得する場合などに用いられる。すなわち、管理装置１の制御部１１は、比率表１２１を検査して有効期限が切れた比率を発見すると、通信回線３を介して、例えば、決済システム６に含まれるサーバ装置や通信回線４に接続されたサーバ装置など、外部装置に要求し、その外部装置から更新された比率を取得する。外部装置が、いわゆるプッシュ型の情報配信をすることで比率を管理装置１に取得させる場合には、比率表１２１に有効期限のフィールドがなくてもよい。
【００３６】
なお、比率表１２１には、変換先バリューの数量に応じて異なる比率が定められていてもよい。例えば、６０分未満の通話料と、６０分以上１８０分未満の通話料と、１８０分以上の通話料とで、比率が異なっていてもよい。また、比率表１２１には、変換先バリューの数量を独立変数とした関数で比率が表されていてもよい。
この場合、比率表１２１は、変換先バリューの数量が多いほど、比率が低くなるように設定されていてもよい。これにより、汎用バリューから専用バリューに変換する数量が多いほど、単位数量当たりの専用バリューを得るために必要な汎用バリューの数量が下がるので、利用者にいわゆるボリュームディスカウントのメリットを提供することができる。
【００３７】
図５は、汎用バリューＤＢ１２２の例を示す図である。汎用バリューＤＢ１２２は、通信端末２のユーザを識別するユーザＩＤと、そのユーザの所有する汎用バリューの数量とが対応付けて記憶されているデータベースである。
【００３８】
図６は、専用バリューＤＢ１２３の例を示す図である。図６（ａ）に示すように、専用バリューＤＢ１２３は、専用バリューの種別を列挙した専用バリュー種別リスト１２３１を有するデータベースであり、この専用バリュー種別リスト１２３１に列挙された専用バリューの種別ごとに、誰がその専用バリューをどれだけ所有しているかを示す数量表１２３２が記憶されているデータベースである。
【００３９】
図６（ｂ）に示す数量表１２３２は、例えば専用バリューの種別である通話料に対応付けて記憶された通話料表であり、通信端末２のユーザを識別するユーザＩＤと、そのユーザが所有する、その専用バリュー（ここでは通信料）の数量とが対応付けて記憶されている。また、その数量には、その専用バリューの制限に関する制限情報が対応付けて記憶されている。
【００４０】
制限情報とは、対応する専用バリューを利用する際に満たさなければならない条件である。すなわち、専用バリューの制限に関する制限情報には、対応する専用バリューの利用範囲の制限に関する情報が含まれてもよい。利用範囲とは、専用バリューを利用する対象や期限、場所などの範囲であり、例えば、専用バリューとしての通信料を利用する際にダウンロード可能なデータを教材用のものや、所定の提供元から提供されるものに限定する、といったものである。
【００４１】
また、例えば、通話先の制限が「家族」である場合、この制限に対応付けて記憶された専用バリューには、この制限が課され、ユーザがその家族と通話するときにしか利用できない。すなわち、専用バリューが通信の対価として利用されるものである場合に、その制限に関する制限情報にはその専用バリューを利用するときの通信相手の制限に関する情報が含まれてもよい。
【００４２】
また、例えば、使用地の制限が「Ａ１」である場合、この制限に対応付けられた専用バリューは、通信端末２が「Ａ１」で示される地域（例えば、いずれかの基地局の通信圏内であるセルなど）に存在しているときにしか利用できない。すなわち、専用バリューの制限に関する制限情報には、対応する専用バリューを利用するときの通信端末の位置の制限に関する情報が含まれてもよい。
【００４３】
また、再譲渡の制限には、この専用バリューを所有しているユーザが他人にこれを譲渡できるか否かが定められている。例えば、再譲渡の制限が「あり」である場合、この専用バリューを所有しているユーザは他人にこれを譲渡することができない。すなわち、専用バリューの制限に関する制限情報には、対応する専用バリューの譲渡の制限に関する情報が含まれていてもよい。
【００４４】
再譲渡の制限は譲渡先のユーザのユーザＩＤで記述されてもよい。この場合、専用バリューＤＢ１２３の数量表１２３２において、再譲渡の制限として記述されたユーザＩＤは、そのユーザＩＤで識別されるユーザに対しての譲渡が許可または禁止されていることを示していればよい。また、再譲渡の制限は譲渡先のユーザの所有する通信端末２の識別情報で記述されてもよい。すなわち、専用バリューの制限に関する制限情報には、対応する専用バリューの譲渡を許可または禁止するユーザまたはそのユーザの通信端末を識別する識別情報が含まれる。
【００４５】
また、期限の制限には、この専用バリューを利用できる期限が定められている。例えば、期限の制限が「７日」である場合、この専用バリューを所有しているユーザは、この専用バリューを７日間しか利用することができない。
【００４６】
１−４．管理装置の機能的構成
図７は、管理装置１の機能的構成を示す図である。管理装置１の制御部１１は、記憶部１２などに記憶されたプログラムを読み込むことにより取得部１１１、受付部１１２、変換部１１３、記憶制御部１１４および判定部１１５として機能する。
【００４７】
取得部１１１は、例えば決済システム６など管理装置１の外部から、汎用バリューを専用バリューに変換する際に用いる比率を取得し、その比率を記憶部１２が有する比率表１２１に記憶させる。
【００４８】
受付部１１２は、通信端末２のユーザが他人へ専用バリューを譲渡する旨の要求を、その通信端末２から受付ける。この要求には、譲渡する専用バリューを利用する際に課される制限に関する制限情報が含まれていてもよい。
【００４９】
また、受付部１１２は、通信端末２のユーザが所有する専用バリューを利用する旨の要求を受付ける。
【００５０】
変換部１１３は、或る通信端末２（通信端末２ａとする）のユーザから、他の通信端末２（通信端末２ｂとする）のユーザへ専用バリューを譲渡する旨の要求を受付部１１２が受付けたとき、通信端末２ａが要求する量の専用バリューに、この量に相当する量の汎用バリューを変換する。このとき、変換部１１３は、取得部１１１が取得し比率表１２１に書き込んだ比率を参照してもよい。
【００５１】
記憶制御部１１４は、上述した通信端末２ａのユーザから通信端末２ｂのユーザへ専用バリューを譲渡する旨の要求を受付部１１２が受付けたとき、記憶部１２が有する汎用バリューＤＢ１２２に記憶された、通信端末２ａのユーザの所有する汎用バリューから、変換部１１３により変換された量の汎用バリューを減算する。
【００５２】
また、記憶制御部１１４は、変換部１１３により変換された専用バリューを通信端末２ｂのユーザの所有する専用バリューとして専用バリューＤＢ１２３に記憶させる。このとき、上述した要求に、譲渡する専用バリューを利用する際に課される制限に関する制限情報が含まれていた場合には、記憶制御部１１４は、変換部１１３により変換された専用バリューを、その専用バリューの制限に関する制限情報と対応付けて専用バリューＤＢ１２３に記憶させる。
【００５３】
判定部１１５は、通信端末２ｂのユーザから、所有する専用バリューを利用する旨の要求を受付けたとき、専用バリューＤＢ１２３によりその専用バリューに対応付けて記憶されている制限情報に応じてその要求の許否を判定する。
【００５４】
記憶制御部１１４は、判定部１１５が上述した要求を許可する場合に、専用バリューＤＢ１２３に記憶された専用バリューからこの要求が示す量の専用バリューを減算する。
【００５５】
図８は、管理システム９における通信端末２ａの操作画面の例を示す図である。制御部２１がプログラムを実行することにより、通信端末２ａの表示部２４には、図８（ａ）に示すトップ画面が表示される。
【００５６】
トップ画面は、最上部に表題を示す領域Ｒ１が表示され、中央部に残高と操作ボタンを示す領域Ｒ２が表示され、最下部にユーザの所有する汎用バリューと専用バリューの数量を示す領域Ｒ３が表示される画面である。
【００５７】
図８（ａ）において領域Ｒ１に表示される「Ｔｏｐ」はこの画面がトップ画面であることを示す表題である。
【００５８】
図８（ａ）において領域Ｒ３に表示される「ｄａｔａ」の文字列は、これに続く数字がこの通信端末２ａのユーザが所有する通信料（専用バリュー）の数量であることを示す。ここではユーザは、４０ＧＢ（ギガバイト）の通信料を所有していることが示されている。また、領域Ｒ３に表示される「ｃａｌｌ」の文字列は、これに続く数字がこの通信端末２ａのユーザが所有する通話料（専用バリュー）の数量であることを示す。ここではユーザは、１０ｍｉｎ（分）の通話料を所有していることが示されている。
【００５９】
領域Ｒ３に表示される「Ｓｈａｒｅ  ａｖａｉｌａｂｌｅ」の文字列は、これに続く数字がこの通信端末２ａのユーザが所有するシェア可能金の数量であることを示す。この「シェア可能金」とは、これを所有するユーザが他人にシェアすることが可能なバリューを意味する。図８（ａ）に示す例で、ユーザは、５０００円のシェア可能金を所有していることが示されている。なお、シェア可能金は、汎用バリューであってもよいし、専用バリューであってもよい。シェア可能金が、専用バリューである場合、このシェア可能金は、例えば、制限情報と対応付けられて専用バリューＤＢ１２３に記憶される。
【００６０】
図８（ａ）において領域Ｒ２および領域Ｒ３に表示される「Ａｃｃｏｕｎｔ  ｂａｌａｎｃｅ」の文字列は、これに続く数字がこの通信端末２ａのユーザが所有する汎用バリューの数量であることを示す。通信端末２ａは、この数量をクラウド５のいずれかの管理装置１に問合せて取得し表示部２４に表示する。
【００６１】
領域Ｒ２に表示されるボタンＢ１はチャットアプリを開始するボタンである。チャットアプリとは、登録された友人などのユーザと通信端末２同士で短文や画像などの遣り取りをするアプリケーションプログラムである。
【００６２】
ボタンＢ２は汎用バリューの追加購入を行うためのボタンである。ボタンＢ２を押して追加購入を指示すると、通信端末２ａはクラウド５を介して決済システム６に接続し、決済システム６による認証を経た後、指定した額の汎用バリューを購入する手続を進める指示をする。この指示を受けて、決済システム６は、追加購入する汎用バリューの数量に応じた金額を、通信端末２ａのユーザの銀行口座からクラウド５を提供する通信事業者の銀行口座へ移すことで決済を行う。そして、この指示を受けて管理装置１は、ユーザが追加購入した汎用バリューの数量を、汎用バリューＤＢ１２２においてそのユーザに対応付けられた汎用バリューの数量に加算する。
【００６３】
ボタンＢ３はこのプログラムの各種設定を行うためのボタンである。この設定により、例えば、専用バリューを譲渡するときに一律に課す制限や、譲渡する相手ごとに課す制限、譲渡する専用バリューの数量の範囲ごとに課す制限などが設定され、これにより制限情報が決まる。この制限情報により、これに対応付けて記憶される専用バリューは、例えば、利用できる地域や、利用できる期限などが決まる。
【００６４】
ユーザが図８（ａ）に示すトップ画面においてボタンＢ１を押すと、図８（ｂ）に示す相手選択画面が表示される。領域Ｒ１には実行されているアプリケーションプログラムがチャットアプリであることを示す「ｃｈａｔｓ」の文字列が表示される。なお、この文字列の左側に表示されている左向きで白抜きの矢印は直前に表示されていた画面に戻ることを指示するためのボタンである。
【００６５】
領域Ｒ２には、通信端末２ａのユーザが予め登録した友人を示すアイコンや名前、およびその友人が入力した最新の文字列などが並べて表示される。図８（ｂ）に示す相手選択画面では、通信端末２ａのユーザが予め登録した３人のユーザをそれぞれ選択するための領域Ｒ２ａ、Ｒ２ｂ、Ｒ２ｃが領域Ｒ２の内部に表示されている。
【００６６】
図９は、他人に専用バリューを譲渡する操作をしたときの操作画面の遷移例を示す図である。通信端末２ａのユーザが図８（ｂ）に示す相手選択画面の領域Ｒ２ａに触れて「Ｃａｍｅｒｏｎ」という名のユーザを選択すると、通信端末２ａの表示部２４には図９（ａ）に示すチャット画面が表示される。このチャット画面において、領域Ｒ１には選択された相手の名前である「Ｃａｍｅｒｏｎ」が表示され、中央にはチャットの内容を示す領域Ｒ２ｄが表示される。
【００６７】
チャット画面において、例えば、図９（ａ）に示すように領域Ｒ２ｄの左端には、対話する相手ユーザの顔などが表された画像であるアイコンが表示され、そのアイコンの右側には、その相手ユーザが入力したメッセージが吹き出しに囲まれて表示される。また、図９（ａ）に示すように領域Ｒ２ｄの右端には、通信端末２ａのユーザの顔などが表された画像であるアイコンが表示され、そのアイコンの左側には、ユーザ自身が入力したメッセージが吹き出しに囲まれて表示される。
【００６８】
また、このチャット画面において、通信端末２ａのユーザがチャットのメッセージを入力するための入力欄を示す領域Ｒ３ａと、メッセージに替えて譲渡（ギフトともいう）の指示をするための領域Ｒ３ｂとが表示される。領域Ｒ３ｂには、ギフトを指示するボタンとして、汎用バリューを直接、譲渡するための「送金」のボタンや、通信料の専用バリューを譲渡するボタンなどが表示されており、さらに通話料の専用バリューを譲渡するボタンＢ４が表示されている。
【００６９】
ユーザがボタンＢ４を押すと表示部２４には図９（ｂ）に示す数量選択画面が表示される。領域Ｒ３ｂは、通話料の数量を選択するための複数のスタンプが表示される。このうち、汎用バリューの残高が少ないために変換することができない数量を示すスタンプはグレーアウト（図中では破線）で表示されている。例えば、図９（ｂ）に示す数量選択画面では１分、３分、５分、１０分、１５分の通話料を示す各スタンプは選択可能であるが、３０分および５０分の通話料を示すスタンプはいずれもグレーアウトで表示されており、選択不可能になっている。
【００７０】
ユーザが図９（ｂ）において３分の通話料を譲渡するためのスタンプＢ５を押すと、表示部２４には図９（ｃ）に示す結果通知画面が表示される。結果通知画面で、チャットの内容には、ユーザ自身のアイコンの左側の領域Ｒ２ｅには、３分の通話料の譲渡を示すスタンプの画像が吹き出しに囲まれて表示される。そして、その下方の領域Ｒ２ｆには、例えば管理装置１によって送られたメッセージが吹き出しに囲まれて表示される。図９（ｃ）に示すこのメッセージは、指示された譲渡が成功した旨の通知である。
【００７１】
このとき、管理装置１では例えば以下のことが行なわれている。すなわち、制御部１１は、通信端末２ａが要求する量の専用バリューに、この量に相当する量の汎用バリューを変換する。具体的に、通信端末２ａのユーザは３分の通話料の譲渡を要求しているため、制御部１１は比率表１２１を参照して通話料の比率「２００円／分」を読み出し、６００円の汎用バリューを３分の通話料（専用バリュー）に変換する。
【００７２】
制御部１１は、汎用バリューＤＢ１２２に記憶された通信端末２ａのユーザの汎用バリューから、変換されたこの６００円の汎用バリューを減算するとともに、変換された３分の通話料と、この通話料の制限に関する制限情報とを対応付けて専用バリューＤＢ１２３に記憶させる。この通話料と制限情報とは、要求の内容に応じてＣａｍｅｒｏｎという名前のユーザの所有する通話料として専用バリューＤＢ１２３に記憶される。すなわち、上述した要求にはＣａｍｅｒｏｎという名前のユーザのユーザＩＤが含まれており、このユーザＩＤに対応付けて、３分の通話料と制限情報とが専用バリューＤＢ１２３に記憶される。
【００７３】
なお、管理装置１は、通信端末２ａのユーザが専用バリューを他人に譲渡するため操作をする度に、汎用バリューを専用バリューに変換するのではなく、予めユーザが変換済みの専用バリューから、その操作に応じた量の専用バリューを他人に譲渡してもよい。
【００７４】
例えば、通信端末２ａのユーザが、所有している汎用バリューを専用バリューである通話料に変換して、３００分に相当する通話料を所有している場合、このユーザが図９（ｂ）に示す「３分の通話料を譲渡するため」のスタンプＢ５を押すと、制御部１１は、このユーザが所有する３００分の通話料から３分の通話料を減算するとともに、３分の通話料を譲渡先の他人のユーザＩＤと、この通話料の制限に関する制限情報とに対応付けて専用バリューＤＢ１２３に記憶させる。これにより、専用バリューの譲渡のタイミングや数量は、専用バリューへの変換のタイミングや数量と区別されるので、例えば、或る数量以上の汎用バリューを専用バリューに変換したときに適用される比率がその数量未満の変換をしたときの比率に比べて低く設定されている場合に、ユーザはボリュームディスカウントの恩恵を受けることができる。
【００７５】
また、Ｃａｍｅｒｏｎという名前のユーザが、所有する通信端末２ｂを使って通信端末２ａのユーザから譲渡された通話料を利用する旨の要求をすると、管理装置１の制御部１１は、この要求を受付けて、専用バリューＤＢ１２３を参照し、利用することを要求されたこの専用バリューに対応付けて記憶されている制限情報に応じて、この要求の許否を判定する。
【００７６】
例えば、通信端末２ａのユーザが自分との通話のみに利用できる通話料を通信端末２ｂのユーザ（Ｃａｍｅｒｏｎという名前のユーザ）に譲渡した場合、通信端末２ｂのユーザは、譲渡された通話料を通信端末２ａのユーザ以外のユーザとの通話に使うことができない。したがって、上述した要求が通信端末２ａのユーザ以外のユーザとの通話への利用を示すものである場合、管理装置１の制御部１１はこれを拒絶する。
【００７７】
一方、上述した要求が通信端末２ａのユーザとの通話への利用を示すものである場合、管理装置１の制御部１１はこれを許可する。そして、この場合、制御部１１は、専用バリューＤＢ１２３において、通信端末２ｂのユーザのユーザＩＤに対応付けられている通話料の数量から、この要求が示す量を減算する。
【００７８】
以上の操作によりユーザは、チャットにおいてスタンプを送るのと同様な操作で自身の所有する汎用バリューを専用バリューに変換して、任意の相手にシェアすることができる。
【００７９】
また、シェアする専用バリューには制限を課すことができるので、シェアした専用バリューは、シェアした側のユーザの意図に沿ってシェアされた側のユーザに利用されることとなり、例えば他の用途に利用されることがなくなる。
【００８０】
また、シェアされる専用バリューは、汎用バリューの数量を超えることがないので、シェアする側のユーザは自身が所有する汎用バリューを超える数量の専用バリューを誤ってシェアしてしまう心配がない。
【００８１】
また、シェアされた専用バリューは、通話料であれば時間、通信料であればデータ量など、その利用に即した単位で計量されるため、これを利用するユーザはその使用料や残量などを直感的に把握することができる。
【００８２】
２．変形例
以上が実施形態の説明であるが、この実施形態の内容は以下のように変形し得る。また、以下の変形例を組合せてもよい。
【００８３】
２−１．変形例１
上述した制限情報において、専用バリューの再譲渡を許可する場合、譲渡後の専用バリューの量が、譲渡前の専用バリューの量よりも減少するように設定されていてもよい。
【００８４】
例えば、通信端末２ｂ（第２通信端末）のユーザが、通信端末２ｃ（第３通信端末）を指定して、自分の所有する専用バリューの一部を他人である通信端末２ｃのユーザに譲渡する旨の指示をした場合、管理装置１の制御部１１によって実現する記憶制御部１１４は、通信端末２ｂのユーザから通信端末２ｃのユーザへ専用バリューを譲渡する旨の上述した要求を通信端末２ｂから受付けたとき、通信端末２ｂが要求した量の専用バリューを通信端末２ｂのユーザが所有する専用バリューから減算するとともに、その量以下の量の専用バリューを通信端末２ｃのユーザが所有する専用バリューとして専用バリューＤＢ１２３に記憶させる。
【００８５】
このとき、譲渡前に通信端末２ｂのユーザが所有していた専用バリューに対応付けて記憶されていた制限情報は、譲渡後に通信端末２ｃのユーザが所有するものとして記憶された専用バリューに対応付けて記憶されてもよい。すなわち、専用バリューに対応付けられた制限情報は、譲渡後にもそのまま引き継がれてもよい。また、再譲渡後の制限情報には再譲渡をしたユーザによって新たな制限情報が付け加えられてもよい。
【００８６】
２−２．変形例２
管理装置１の制御部１１は、図７に示す通り、ユーザが専用バリューを利用しようとするとき、または実際に専用バリューを利用するとき、その専用バリューの変換前の汎用バリューを所有していたユーザの通信端末２に、その利用に関する情報を通知する通知部１１６として機能してもよい。
【００８７】
例えば、通信端末２ｂのユーザが、通信端末２ｂを使って通信端末２ａのユーザから譲渡された通話料を利用する旨の要求をすると、管理装置１の制御部１１は、この要求を受付けて、利用しようとしている通話料の返還前の汎用バリューを所有していたユーザの所持する通信端末２ａに、利用しようとしている時間や通話の相手など、その利用に関する情報を通知してもよい。
【００８８】
この場合、専用バリューＤＢ１２３において、専用バリューに対応付けられる制限情報には、その専用バリューの変換前の汎用バリューを所有していたユーザのユーザＩＤが含まれていてもよい。制御部１１は、例えば或るユーザが専用バリューを利用しようとするとき、利用しようとする専用バリューに対応付けられる制限情報から上述したユーザＩＤを読み出して、その専用バリューの変換前の汎用バリューを所有していた他のユーザを特定し、特定したそのユーザの通信端末２に向けて、その利用に関する情報を通知すればよい。この構成によれば、専用バリューをシェアした後でも、シェアした側のユーザは、専用バリューの利用の状態を知ることができる。
【００８９】
また、例えば、通信端末２ａのユーザから通信端末２ｂのユーザに譲渡された専用バリューを、更に通信端末２ｂのユーザが通信端末２ｃのユーザに譲渡した場合に、通信端末２ｃのユーザが譲渡された専用バリューを利用しようとするとき、上述した通知部１１６は、利用しようとする専用バリューの変換前の汎用バリューを所有していたユーザの通信端末２ａに向けて、その利用に関する情報を通知することに加えて、その専用バリューを譲渡したユーザの所持する通信端末２ｂに向けて、その利用に関する情報を通知してもよい。また、専用バリューの譲渡が複数回にわたって行なわれた場合、この専用バリューを譲渡した全ての通信端末２に向けて、この専用バリューの利用に関する情報が通知されてもよい。
【００９０】
この場合、専用バリューＤＢ１２３において、専用バリューに対応付けられる制限情報には、その専用バリューの変換前の汎用バリューを所有していたユーザのユーザＩＤに加えて、この専用バリューを譲渡した全てのユーザのユーザＩＤが含まれていてもよい。
【００９１】
なお、通知部１１６による上述の通知は、専用バリューを利用する旨の要求を受付けた直後でなくてもよく、例えば、管理装置１の記憶部１２に受付けたその要求をログ（履歴）として記憶して、決められた量が蓄積されたときに通知してもよい。
【００９２】
また、制御部１１は、専用バリューを利用する旨の要求を受付けたときに、記憶部１２に受付けたその要求に関する情報をログとして記憶してもよい。この場合、通信端末２に対して、その利用に関する情報を通知しなくてもよい。
【００９３】
２−３．変形例３
変形例２に示す通知をする場合、制御部１１の判定部１１５は、通知部１１６による通知に対して、通知先である通信端末２からその利用を許可する旨の応答がされるまで、通知した専用バリューの利用を許可しないように判定してもよい。この構成によれば、専用バリューをシェアした後でも、シェアした側のユーザは、専用バリューの利用の許否を決定することができる。
【００９４】
２−４．変形例４
判定部１１５は、通信端末２のユーザから、所有する複数の専用バリューのうち、いずれか１つ以上を利用する旨の要求を受付けたとき、専用バリューＤＢ１２３によりそれら複数の専用バリューに対応付けて記憶されている制限情報に応じて、利用すべき専用バリューを選択し、通信端末２に向けて通知してもよい。例えば、ユーザが７日後に消滅する専用バリューαと、２ヶ月後に消滅する専用バリューβと、期限が決められていない専用バリューγとをそれぞれ有しているときに、これらを利用する旨の要求を通信端末２によって管理装置１に伝えたとき、管理装置１の制御部１１は、これらのうち、最も早い時期に消滅する専用バリューαを推薦する旨の通知を通信端末２に向けてしてもよい。そして、通知に対する応答に応じて、利用する専用バリューを選択してもよい。
【００９５】
また、この場合、管理装置１は、通知に対する応答を待たずに、専用バリューα→専用バリューβ→専用バリューγの順に利用してもよい。複数の専用バリューのうち、いずれを選択するかを決めるロジックはユーザがそれぞれ決めてもよく、また、専用バリューの種類ごとに決めてもよい。また、複数の専用バリューのうち、いずれを選択するかを決めるロジックは専用バリューの利用履歴やユーザの操作の履歴などに応じて決められてもよい。
【００９６】
２−５．変形例５
上述した比率表１２１には、変換先バリューと比率と有効期限とが対応付けて記憶されていたが、変換先バリューに課される制限情報ごとに比率が異なっていてもよい。
【００９７】
例えば、利用範囲が所定の通信事業者が提供するサービスに限定されている専用バリューに変換する比率は、利用範囲が限定されていない専用バリューに変換する比率に比べて低く設定されていてもよい。利用範囲が限定されている専用バリューは、利用範囲が限定されていない専用バリューに比べて、これを所有するユーザの選択肢が狭い。同じ数量の汎用バリューを同じ比率でこれらの専用バリューに適用すると、利用範囲が限定された専用バリューが利用される機会がなくなる可能性が高い。
【００９８】
この構成によれば、汎用バリューを利用範囲が限定されたこの専用バリューに変換する場合に、選択肢が狭まることの代償として、利用範囲が限定されていない専用バリューに比べて比率を低く、すなわち、同じ汎用バリューを使ってより多くの専用バリューが得られるように設定することが可能である。
【００９９】
これにより、様々に利用範囲が設定された専用バリューがユーザの趣向や計画に応じて利用される。また、利用範囲ではなく、再譲渡が制限されている場合にも、例えば制限されていない専用バリューに比べて低い比率で変換されるように、それぞれの再譲渡の制限の有無に応じて異なる比率が比率表１２１に設定されていてもよい。
【０１００】
２−６．変形例６
管理装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどのネットワーク経由でダウンロードさせることも可能である。なお、上記の制御部１１によって例示した制御手段としてはＣＰＵ以外にも種々の装置が適用される場合があり、例えば、専用のプロセッサなどが用いられる。
【符号の説明】
【０１０１】
１…管理装置、１１…制御部、１１１…取得部、１１２…受付部、１１３…変換部、１１４…記憶制御部、１１５…判定部、１２…記憶部、１２１…比率表、１２２…汎用バリューＤＢ、１２３…専用バリューＤＢ、１２３１…専用バリュー種別リスト、１２３２…数量表、１３…通信部、２（２ａ，２ｂ，２ｃ）…通信端末、２１…制御部、２２…記憶部、２３…通信部、２４…表示部、２５…操作部、３…通信回線、４…通信回線、５…クラウド、６…決済システム、９…管理システム
【図１】
2017111564.tif 000003
【図２】
2017111564.tif 000004
【図３】
2017111564.tif 000005
【図４】
2017111564.tif 000006
【図５】
2017111564.tif 000007
【図６】
2017111564.tif 000008
【図７】
2017111564.tif 000009
【図８】
2017111564.tif 000010
【図９】
2017111564.tif 000011